(57)【要約】【課題】長形のボビンを備える小形巻線部品であっても端子ピンを確実に面上半田することができる小形巻線部品の巻線枠を提供すること。【解決手段】角筒巻線部２０ａの一端鍔１０ｂの外側下部に端子ピン２１を、その他端鍔１０ｃの外側下部に突出形成した嵌合連結部２２を各々設けた巻線枠部材２０と、この巻線枠部材２０と同構成の今一つの巻線枠部材３０とを設け、これら巻線枠部材２０、３０は、各々に巻線したコイル２４、３４を装備した後、各々の嵌合連結部２２、３２で連結させて一つの巻線枠を形成する構成となっている。【選択図】        図３
2005011889.tif 000002
【特許請求の範囲】
【請求項１】
面上半田構成の端子ピンを有する小形巻線部品の巻線枠において、
少なくとも一端に端子ピンを、他端に連結部を各々設けた同形の２つの巻線枠部材を設け、
これら２つの巻線枠部材をそれらの連結部で連結して一つの巻線枠を形成する構成としたことを特徴とする小形巻線部品の巻線枠。
【請求項２】
請求項１に記載した巻線枠において、
２つの巻線枠部材の一方を他方の巻線枠に対して長形又は短形に形成したことを特徴とする小形巻線部品の巻線枠。
【請求項３】
請求項１又は２に記載した巻線枠において、
一端に設けた鍔の外側下部に端子ピンを、他端に設けた鍔の外側下部に突出形成した嵌合連結部を設けた２つの巻線枠部材を設け、
これら２つの巻線枠部材をそれらの嵌合連結部で連結して一つの巻線枠を形成し、
さらに、この巻線枠に巻線した後に、２つの巻線枠部材の他端鍔間に棒状コアを、各々の巻線枠部材の一端鍔側からＥ形コアを各々組付けて小形巻線部品を構成するようにした小形巻線部品の巻線枠。
【請求項４】
請求項３に記載した巻線枠において、
２つの巻線枠部材に設けた他端鍔側部に端子ピンを設けたことを特徴とする小形巻線部品の巻線枠。
【発明の詳細な説明】
【０００１】
【発明の属する技術分野】
この発明は、チョ−クコイル、小形トランスなどの小形巻線部品に使用する巻線枠に関する。
【０００２】
【従来の技術】
図１４は従来例として示した小形トランスの正面図、図１５は図１４上のＡ−Ａ線断面図である。
この小形トランスは、ボビン（絶縁性の巻線枠）１０にコイルを装備させた後、Ｅ形のフエライトコア１２、１３とＩ形のフエライトコア１４とを組付けて構成されている。
【０００３】
ボビン１０は、図１６に示したように、中鍔１０ｃと一方の端鍔１０ａとの間に第１巻線部１５が形成され、中鍔１０ｃと他方の端鍔１０ｂとの間に第２巻線部１６が形成されている。
【０００４】
コイルは、ボビン１０の第１巻線部１５に巻線したコイル１１ａと第２巻線部１６に巻線したコイル１１ｂとから形成し、各々のコイル端部が端子ピン１７に半田付けされている。
【０００５】
なお、コイル１１の巻き方にはいろいろあり、図示するトランス例では、コイル１１ａ、１１ｂの各々が入力コイルと出力コイルとによって形成され、また、コイル１１ａ、１１ｂの入力コイルを直列又は並列に接続し、同様に出力コイルを直列又は並列に接続する構成となっている。
なお、コイル１１ａ、１１ｂの周囲やこれらコイルの入力コイルと出力コイルの間には絶縁テ−プが巻付けられている。
【０００６】
フエライトコアは、図１７に示したように、同形の２つのＥ形フエライトコア１２、１３と、Ｉ形フエライトコア１４とから形成されている。
【０００７】
そして、Ｉ形フエライトコア１４は、ボビン１０の中鍔１０ｃに形成されている嵌合溝に差し入れるようにして組付けられ、また、Ｅ形フエライトコア１２、１３はそれらの中央脚をボビン１０の巻線筒状部に挿入するようにして端鍔１０ａ、１０ｂ外より組付けられている。
【０００８】
【発明が解決しようとする課題】
上記した小形トランスは、高さを低くした偏平形態の小形トランスとして有利なものであるが、ただ、コイル１１ａ、１１ｂを備える関係で横長形態のトランスとなることから、左右の端子ピン間の距離が大きくなる。
【０００９】
この結果、配線基板に面上半田するときに、基板面から浮き上がってしまう端子ピンが生じ、半田付けが不充分となることがある。
【００１０】
具体的には、ボビン１０が長いものとなるために、ボビン１０を成形するときにひずみが生じ、端子ピン１７を植設する肉厚部１０ｄ、１０ｅの水平度がずれる。
【００１１】
このため、端鍔１０ａ側の全ての端子ピン１７を基板面に接触させるようにすると、端鍔１０ｂ側の端子ピン１７の中に基板面が浮き上がるものが生じたり、中鍔の端子ピン１７が浮き上がってしまうと言う問題が生ずる。
【００１２】
したがって、全ての端子ピン１７を基板面に当接させるようにボビン１０のひずみを直す操作をするが、トランスを組み立てた後にこの操作を行なうと、端子ピン１７に半田付けたコイル端部が断線することがある。
【００１３】
一方、上記した小形トランスのボビン１０は長形となるために巻線しにくいボビンとなる。
すなわち、ボビン１０には自動巻線機によって巻線するが、この場合、巻線筒状部に巻線治具を挿入してボビン１０を保持し、この保持状態でフライヤ−を回転させて巻線することから、巻線治具から遠ざかるボビン先端側が巻線を伴って振れ、巻線崩れが生じ易くなる。
【００１４】
この問題は、ボビンが長くなればなるほど生じ易くなる。
なお、巻線崩れはトランス故障の一つの原因となるために好ましくない。
【００１５】
本発明は上記した実情にかんがみ、長形のボビンを備える小形トランスなどの巻線部品であっても端子ピンを確実に面上半田することができ、また、自動巻線機による巻線の容易化を図ることができる小形巻線部品の巻線枠を提供することを目的とする。
【００１６】
【課題を解決するための手段】
上記した目的を達成するために、本発明では、第１の発明として、面上半田構成の端子ピンを有する小形巻線部品の巻線枠において、少なくとも一端に端子ピンを、他端に連結部を各々設けた同形の２つの巻線枠部材を設け、これら２つの巻線枠部材をそれらの連結部で連結して一つの巻線枠を形成する構成としたことを特徴とする小形巻線部品の巻線枠を提案する。
【００１７】
この第１の発明の巻線枠は、２つの巻線枠部材各々に巻線した後に連結して一つの巻線枠を形成する。
したがって、巻線枠部材は長形とならないので、自動巻線機によって各々の巻線枠部材に巻線することにより巻線崩れが防止される。
【００１８】
また、２つの巻線枠部材を連結した巻線枠は長形のものとなるが、各々の巻線枠部材は長形のものとならないので、巻線枠部材の形成にあってひずみがほとんど生じない。
この結果、巻線枠部材に設けた多数の端子ピンが均等に基板面に接触するようになるから、小形トランスを実装させる半田付けが容易で、かつ、確実となる。
【００１９】
第２の発明としては、上記した巻線枠において、２つの巻線枠部材の一方を他方の巻線枠に対して長形又は短形に形成したことを特徴とする小形巻線部品の巻線枠を提案する。
【００２０】
この第２の発明の巻線枠によれば、一方の巻線枠部材に巻線するコイルと、他方の巻線枠部材に巻線するコイルとの巻回数を変えた小形巻線部品として構成することができる。
【００２１】
第３の発明は、上記した第１又は第２の発明の巻線枠において、一端に設けた鍔の外側下部に端子ピンを、他端に設けた鍔の外側下部に突出形成した嵌合連結部を設けた２つの巻線枠部材を設け、これら２つの巻線枠部材をそれらの嵌合連結部で連結して一つの巻線枠を形成し、さらに、この巻線枠に巻線した後に、２つの巻線枠部材の他端鍔間に棒状コアを、各々の巻線枠部材の一端鍔側からＥ形コアを各々組付けて小形巻線部品を構成するようにした小形巻線部品の巻線枠を提案する。
【００２２】
この第３の発明の巻線枠は、巻線枠部材に形成した他端鍔の外側下部に嵌合連結部を設け、２つの巻線枠部材を連結することで、各巻線枠部材の鍔間にＩ形コアの組付け溝を形成するようにしてある。
【００２３】
すなわち、各巻線枠部材にコイルを装備した後にこれら２つの巻線枠部材を嵌合連結部で連結して一つの巻線枠を形成し、さらに、この巻線枠にＥ形コアとＩ形コアを組付けて小形巻線部品を構成するようにしてある。
【００２４】
第４の発明の巻線枠は、第３の発明の巻線枠において、２つの巻線枠部材に設けた他端鍔側部に端子ピンを設けたことを特徴とする小形巻線部品の巻線枠を提案する。
【００２５】
【発明の実施の形態】
次に、本発明の実施形態について図面に沿って説明する。
図１は巻線枠部材を示し、図示するようにこの巻線枠部材２０は、角筒巻線部２０ａの一端側に鍔２０ｂが、その他端側に鍔２０ｃが各々設けてあり、さらに、一端鍔２０ｂの外側下部に形成した肉厚部２０ｄが端子ピン２１の植設固定部となっている。
【００２６】
また、他端鍔２０ｃの外側下部には嵌合連結部２２を一体に突出形成すると共に、この嵌合連結部２２の側部に端子ピン２３が植設固定してある。
嵌合連結部２２は、細幅の首部を有する凸形部２２ａと、この凸形部２２ａの形状に合せて形成した孔部２２ｂとより構成してある。
【００２７】
上記のように構成した巻線枠部材２０は、図２に示すように２つ用意し、各々の巻線枠部材２０、３０に予め巻線してコイル２４、３４を装備する。
なお、巻線したコイル２４、３４のコイル端部は端子ピンにからげて半田付けする。
【００２８】
また、巻線枠部材３０は、巻線枠部材２０と同構成のもので、３０ａは角筒巻線部、３０ｂ、３０ｃは鍔、３０ｄは肉厚部、３１、３３は端子ピン、３２は嵌合連結部、３２ａは凸形部、３２ｂは孔部を示す。
【０００２９】
このようにコイル２４、３４を装備させた巻線枠部材２０、３０はそれらの嵌合連結部２２、２３を嵌合させて図３、図４に示すように一つの巻線枠を形成する。
すなわち、巻線枠部材２０の凸形部２２ａを巻線枠部材３０の孔部３２ｂに、巻線枠部材３０の凸形部３２ａを巻線枠部材２０の孔部２２ｂに各々嵌合させるようにして嵌合連結部２２、３２を連結する。
【００３０】
巻線枠部材２０、３０を上記のように連結して形成した巻線枠には図５に示したところのＥ形フエライトコア３５、３６、Ｉ形フエライトコア３７を組付ける。
すなわち、巻線枠部材２０、３０の他端鍔２０ｃ、３０ｃ間に形成された嵌合溝３８にＩ形フエライトコア３７を嵌入し、また、Ｅ形フエライトコア３５の中央脚を角筒巻線部２０ａ内に、Ｅ形フエライトコア３６の中央脚を角筒巻線部３０ａ内に各々挿入するようにしてこれらＥ形フエライトコア３５、３６を各々の端鍔２０ｂ、３０ｂ外側より組付ける。
【００３１】
図６は上記のようにして構成した小形トランスの正面図であり、図７は図６上のＣ−Ｃ線断面図である。
なお、コイル２４、３４は各々が入力コイルと出力コイルをもつようにして、これらコイル２４、３４が独立したトランス機能を備えるようにしてもよく、また、コイル２４、３４各々の入力コイルを直列に又は並列に接続したり、出力コイルを直列に又は並列に接続したトランスコイルとすることもできる。
【００３２】
上記した小形トランスは、Ｅ形フエライトコア３５、３６の脚心方向に長くした偏平形状のものとなっているが、端子ピン２３、３３は確実に面上半田される。
【００３３】
つまり、巻線枠は長形となるが、これは２つの巻線枠部材２０、３０を連結して形成してあることから、端子ピン２３、３３の水平配列状態を保つことができる。
この結果、全ての端子ピン２３、３３が配線基板に均等に接触することから、長形の小形トランスにおいても端子ピンの半田付けが確実なものとなる。
【００３４】
また、巻線枠部材２０、３０を連結する前に、コイル２４を巻線枠部材２０に、コイル３４を巻線枠部材３０に各々巻線するので、長形の巻線枠に巻線するこにに比べて巻線が容易となる他、コイル端部を端子ピンに半田付けするための作業工程が簡単となる。
【００３５】
次に、図８、図９は他の実施形態の巻線枠を形成する巻線枠部材を示す。
図８は図１に示した巻線枠部材２０と同構成の巻線枠部材を示し、図９は短形とした巻線枠部材４０を示す。
【００３６】
なお、巻線枠部材４０は、巻線枠部材２０に比べて角筒巻線部を短く形成したもので、その他は同じ構成となっており、４０ａは角筒巻線部、４０ｂは一端側の鍔、４０ｃは他端側の鍔、４０ｄは肉厚部、４１は端子ピン、４２は嵌合連結部、４２ａは凸形部、４２ｂは孔部、４３は端子ピンを示す。
【００３７】
上記の巻線枠部材２０、４０についても既に述べたように、予めコイル２４、４４を巻線した後に、これら２つの巻線枠部材２０、４０の嵌合連結部２２、４２を連結して一つの巻線枠を形成する。
そして、その巻線枠にＥ形フエライトコア３５、４６、Ｉ形フエライトコア３７を組付けて図１０、図１１に示したところの小形トランスを構成する。
なお、この実施形態のＥ形フエライトコア４６は巻線枠部材４０に合せて各脚を短寸化する。
【００３８】
図１２、第１３は上記した巻線枠部材４０と同構成の２つの巻線枠部材５０、６０を連結するようにして構成した小形トランスを示す。
なお、巻線枠部材５０、６０については巻線枠部材４０と同じ部所について対応する参照符号が付してある。
その他、これら図面において、３７はＩ形フエライトコア、５４、６４はコイル、５６、６６は上記したＥ形フエライトコア４６と同形状のＥ形フエライトコアを示す。
【００３９】
以上より分かるように、長さの異なる２種類の巻線枠部材２０、４０を用意することにより、図６、図１０、図１２に示すところの３種類の小形トランスの巻線枠を構成することができる。
また、本発明は小形トランスにかぎらず、インダクタンスコイルなどとしても同様に実施することができる。
【００４０】
【発明の効果】
上記した通り、２つの巻線枠部材を連結して一つの巻線枠を形成する構成としたので、各々の巻線枠部材に設けた端子ピンの水平配列精度を高めることができる。
このことから、長形の巻線枠に巻線してコイルを装備する小形巻線部品であっても、確実に面上半田のできるものとなる。
【００４１】
また、２つの巻線枠部材を連結する前に巻線してコイルを装備することができるので、巻線が容易となると共に、端子ピンに止着するコイル端部の半田付けがしやすくなる。
【００４２】
さらに、小形巻線部品の巻線枠は長くなるほど変形し、また、折れ易くなるという問題があるが、本発明では２つの巻線枠部材を連結して一つの巻線枠を形成するので、機械的強度の充分な巻線枠となる。
【図面の簡単な説明】
【図１】第１実施形態の巻線枠を形成する巻線枠部材の斜視図である。
【図２】上記した巻線枠部材に今一つの同構成の巻線枠部材を連結させる状態を示した正面図である。
【図３】上記した同形の２つの巻線枠部材を連結して一つの巻線枠として実施した第１の実施形態を示す正面図である。
【図４】図３上のＢ−Ｂ線断面である。
【図５】小形トランスを構成するＥ形フエライトコアとＩ形フエライトコアとを示す斜視図である。
【図６】上記した巻線枠を備えた小形トランスの正面図である。
【図７】図６上のＣ−Ｃ線断面図である。
【図８】第２実施形態の巻線枠を形成する一方の巻線枠部材を示す斜視図である。
【図９】第２実施形態の巻線枠を形成する他方の巻線枠部材を示す斜視図である。
【図１０】第２実施形態の巻線枠を備える小形トランスの正面図である。
【図１１】図１０上のＤ−Ｄ線断面図である。
【図１２】第３実施形態の巻線枠を備える小形トランスの正面図である。
【図１３】図１２上のＥ−Ｅ線断面図である。
【図１４】従来例を説明するための小形トランスの正面図である。
【図１５】図１４上のＡ−Ａ線断面図である。
【図１６】従来例として示した巻線枠の斜視図である。
【図１７】従来の小形トランスに備えられたＥ形フエライトコアとＩ形フエライトコアの斜視図である。
【符号の説明】
２０、３０  巻線枠部材
２０ａ、３０ａ  角筒巻線部
２０ｂ、２０ｃ、３０ｂ、３０ｃ  鍔
２１、３１  端子ピン
２２、３２  嵌合連結部
２３、３３  端子ピン
２４、３４  コイル
３５、３６  Ｅ形フエライトコア
３７  Ｉ形フエライトコア
【図１】
2005011889.tif 000003
【図２】
2005011889.tif 000004
【図３】
2005011889.tif 000005
【図４】
2005011889.tif 000006
【図５】
2005011889.tif 000007
【図６】
2005011889.tif 000008
【図７】
2005011889.tif 000009
【図８】
2005011889.tif 000010
【図９】
2005011889.tif 000011
【図１０】
2005011889.tif 000012
【図１１】
2005011889.tif 000013
【図１２】
2005011889.tif 000014
【図１３】
2005011889.tif 000015
【図１４】
2005011889.tif 000016
【図１５】
2005011889.tif 000017
【図１６】
2005011889.tif 000018
【図１７】
2005011889.tif 000019